(57)【要約】【課題】多品種少量で短期サイクルでの商品展開を行っている店舗において、陳列棚に陳列される商品の在庫情報を効率よく表示し、以って店舗従業員や顧客が容易に商品在庫を把握することを可能とする電子棚札、電子棚札システムサーバ、電子棚札システム及び電子棚札表示方法を提供する。【解決手段】本発明の電子棚札、電子棚札システムサーバ、電子棚札システム及び電子棚札表示方法は、該電子棚札１００が取り付けられた商品棚位置に置かれている商品の商品名や価格などの商品詳細情報とともに、サイズ毎の在庫数を表示可能に構成されている。さらに、商品棚には存在しないが店舗内には在庫として存在している全在庫数も、サイズ毎に表示可能に構成されている。【選択図】        図２
2007206745.tif 000002
【特許請求の範囲】
【請求項１】
棚に配置される商品に取り付けられた電子タグから読み取った商品識別情報に、前記棚における商品配置位置それぞれに取り付けられた電子タグから読み取った商品位置情報を関連付ける電子棚札システムサーバによって該商品識別情報に基づき取得される情報を該商品配置位置それぞれにおいて表示する電子棚札であって、
前記電子棚札システムサーバにおいて集計された商品在庫数及び前記商品識別情報に対応する商品詳細情報を前記棚の前記商品配置位置において該商品毎に表示することを特徴とする電子棚札。
【請求項２】
前記商品詳細情報に含まれる商品のサイズ情報に基づき該サイズ毎に集計された前記商品在庫数を表示することを特徴とする請求項１に記載の電子棚札。
【請求項３】
前記棚における前記商品配置位置それぞれに取り付けられた電子タグを有することを特徴とする請求項１に記載の電子棚札。
【請求項４】
棚に配置される商品に取り付けられた電子タグから読み取った商品識別情報と、該棚における商品配置位置それぞれに取り付けられた電子タグから読み取った商品位置情報とを関連付け、該商品識別情報に基づいた情報を該商品配置位置それぞれにおいて表示する電子棚札システムにおける電子棚札システムサーバであって、
前記商品位置情報毎及び前記商品識別情報に対応する商品種別識別情報毎に商品在庫数を集計する商品在庫数集計手段と、該商品在庫数が集計された各商品に対応する商品詳細情報を取得する商品詳細情報取得手段とを有することを特徴とする電子棚札システムサーバ。
【請求項５】
前記商品在庫数集計手段は、前記商品詳細情報に含まれる商品のサイズ情報に基づき、前記商品在庫数を該サイズ毎に集計することを特徴とする請求項４に記載の電子棚札システムサーバ。
【請求項６】
前記商品位置情報と前記商品種別識別情報とを関連付けて記憶する商品棚位置情報記憶手段と、
前記商品位置情報及び前記商品種別識別情報をリアルタイムに取得して前記商品棚位置情報記憶手段に記憶される商品位置情報及び商品種別識別情報と一致するか否かを判定する商品棚位置一致判定手段と、
前記商品棚位置一致判定手段により、前記商品棚位置情報記憶手段に記憶される商品位置情報及び商品種別識別情報がリアルタイムに取得された商品位置情報及び商品種別識別情報と一致しないと判定された場合に、該不一致を前記電子棚札に表示させるために通知する商品棚位置不一致通知手段と
をさらに備えたことを特徴とする請求項４に記載の電子棚札システムサーバ。
【請求項７】
棚に配置される商品に取り付けられた電子タグから読み取った商品識別情報と、該棚における商品配置位置それぞれに取り付けられた電子タグから読み取った商品位置情報とを関連付け、該商品識別情報に基づいた情報を該商品配置位置それぞれにおいて表示する電子棚札システムであって、
前記商品位置情報毎及び前記商品識別情報に対応する商品種別識別情報毎に商品在庫数を集計する商品在庫数集計手段と、該商品在庫数が集計された商品に対応する商品詳細情報を取得する商品詳細情報取得手段とを有する電子棚札システムサーバと、
前記商品在庫数集計手段により集計された前記商品在庫数と前記商品詳細情報取得手段により取得された前記商品詳細情報とを関連付けて、各商品に対応する商品配置位置において該商品毎に表示する棚札情報表示手段を有する電子棚札とを有することを特徴とする電子棚札システム。
【請求項８】
前記商品在庫数集計手段は、前記商品種類情報に含まれる該商品のサイズ情報に基づき前記商品在庫数を該サイズ毎に集計し、
前記棚札情報表示手段は、前記商品在庫数集計手段により集計された前記サイズ毎の商品在庫数を表示することを特徴とする請求項７に記載の電子棚札システム。
【請求項９】
棚に配置される商品に取り付けられた電子タグから読み取った商品識別情報に基づき電子棚札システムサーバにおいて取得された情報を該棚において電子棚札に表示する電子棚札表示方法であって、
前記電子棚札システムサーバにおいて、前記商品識別情報に関連付けられた商品種別識別情報毎に商品在庫数を集計する商品在庫数集計工程と、該商品在庫数が集計された商品に対応する商品詳細情報を取得する商品詳細情報取得工程とを含み、
前記電子棚札において、前記商品在庫数集計工程により集計された前記商品在庫数と前記商品詳細情報取得工程により取得された前記商品詳細情報とを関連付けて前記棚において該商品毎に表示する棚札情報表示工程を含むことを特徴とする電子棚札表示方法。
【請求項１０】
前記商品在庫数集計工程は、前記商品種類情報に含まれる該商品のサイズ情報に基づき前記商品在庫数を該サイズ毎に集計し、
前記棚札情報表示工程は、前記商品在庫数集計工程により集計された前記サイズ毎の商品在庫数を表示することを特徴とする請求項９に記載の電子棚札表示方法。
【発明の詳細な説明】
【技術分野】
【０００１】
本発明は、棚に配置される商品に取り付けられたＩＣタグから読み取った商品識別情報と、該棚における商品配置位置それぞれに取り付けられたＩＣタグから読み取った商品位置情報とを関連付け、該商品情報に基づいた情報を該商品配置位置それぞれにおいて表示する電子棚札、電子棚札システムサーバ、電子棚札システム及び電子棚札表示方法に関し、特に、多品種少量で短期サイクルでの商品展開を行っている店舗において、陳列棚に陳列される商品の在庫情報を効率よく表示し、以って店舗従業員や顧客が容易に商品在庫を把握することを可能とする電子棚札、電子棚札システムサーバ、電子棚札システム及び電子棚札表示方法に関する。
【背景技術】
【０００２】
従来から、識別情報を記憶したＩＣチップを有するＩＣタグを商品に取り付け、該商品に関連付けられた該識別情報で商品管理を行うシステムが知られている。該システムは、ＩＣタグから識別情報を読み出して該識別情報に基づいて管理装置で商品管理を行うものである。
【０００３】
かかるシステムの一例として、例えば、特許文献１には、店舗のバックヤードに設置される商品保管庫を有するシステムが開示されている。このシステムにおける保管庫の各商品収納スペースには、商品に取り付けられたＩＣタグから識別情報を読み出すＩＣタグリーダがそれぞれ取り付けられている。ＩＣタグリーダに読み出された識別情報は、システムサーバに送信されるが、該識別情報がどの商品保管スペースに取り付けられたＩＣタグリーダによって読み出されたものであるかを判別可能としている。
【０００４】
さらに、システムサーバに受信された識別情報には、それぞれ商品情報が対応付けられており、システムサーバ側で該商品情報に基づいて所望の商品を指定すると、該商品がどの商品収納スペースに収納されているかを商品保管庫側で報知する報知ランプを備えている。このようにして、どの商品収納スペースにどのような商品が収納されているかをシステムサーバで一元管理可能とすることによって、商品保管庫に保管されている商品管理を容易かつ確実ならしめることができた。
【０００５】
【特許文献１】特開２００３−１１８８１３号公報
【発明の開示】
【発明が解決しようとする課題】
【０００６】
しかしながら、上記特許文献１に代表される従来技術では、商品保管庫側で、どの商品がどの商品収納スペースに収納されているかを容易に知ることが出来るが、当該商品に関する商品情報を把握することは出来なかった。
【０００７】
他方で、店頭の商品陳列棚に陳列される商品の価格を電子的に表示する電子棚札が知られているが、このような電子棚札は固定的でほとんど変化することのない静的な商品情報である価格を表示するのみであり、価格表示媒体を単に電子媒体に置き換えたものに過ぎない。
【０００８】
よって、上記特許文献１の従来技術及び上記電子棚札を組み合わせた技術を店舗フロアに設置される商品陳列棚に適用したとしても、時々刻々と動的に変化する商品情報を電子棚札にリアルタイムで表示し、商品情報をリアルタイムに商品陳列棚側で把握させることはできない。
【０００９】
具体的には、多品種少量で短期サイクルでの商品展開を行っている店舗では、商品の回転が速く、かつ棚位置のレイアウト変更が頻繁なため、棚位置と商品情報をリアルタイムに関連付けて、商品在庫を管理することが困難であった。その上、かかる店舗では、サイズのみが異なる同一の商品を同一の棚に陳列する場合が多く、所望のサイズの商品在庫があるか否かは一目では把握不可能であり、商品を実際に手にとってその都度確認しなければならなかった。
【００１０】
これらのことから、多品種少量で短期サイクルでの商品展開を行っている店舗において、陳列棚に陳列される商品の在庫情報を効率よく表示し、以って店舗従業員や顧客が容易に商品在庫を把握することを可能とすることが極めて重要な課題となってきている。
【００１１】
本発明は、上記問題点（課題）を解消するためになされたものであって、多品種少量で短期サイクルでの商品展開を行っている店舗において、陳列棚に陳列される商品の在庫情報を効率よく表示し、以って店舗従業員や顧客が容易に商品在庫を把握することを可能とする電子棚札、電子棚札システムサーバ、電子棚札システム及び電子棚札表示方法を提供することを目的とする。
【課題を解決するための手段】
【００１２】
上述した課題を解決し、目的を達成するために、本発明は、棚に配置される商品に取り付けられた電子タグから読み取った商品識別情報に、前記棚における商品配置位置それぞれに取り付けられた電子タグから読み取った商品位置情報を関連付ける電子棚札システムサーバによって該商品識別情報に基づき取得される情報を該商品配置位置それぞれにおいて表示する電子棚札であって、電子棚札システムサーバにおいて集計された商品在庫数及び前記商品識別情報に対応する商品詳細情報を前記棚の前記商品配置位置において該商品毎に表示することを特徴とする。
【００１３】
また、本発明は、上記発明において、前記商品詳細情報に含まれる商品のサイズ情報に基づき該サイズ毎に集計された前記商品在庫数を表示することを特徴とする。
【００１４】
また、本発明は、上記発明において、前記棚における前記商品配置位置それぞれに取り付けられた電子タグを有することを特徴とする。
【００１５】
また、本発明は、棚に配置される商品に取り付けられた電子タグから読み取った商品識別情報と、該棚における商品配置位置それぞれに取り付けられた電子タグから読み取った商品位置情報とを関連付け、該商品識別情報に基づいた情報を該商品配置位置それぞれにおいて表示する電子棚札システムにおける電子棚札システムサーバであって、前記商品位置情報毎及び前記商品識別情報に対応する商品種別識別情報毎に商品在庫数を集計する商品在庫数集計手段と、該商品在庫数が集計された各商品に対応する商品詳細情報を取得する商品詳細情報取得手段とを有することを特徴とする。
【００１６】
また、本発明は、上記発明において、前記商品在庫数集計手段は、前記商品詳細情報に含まれる商品のサイズ情報に基づき、前記商品在庫数を該サイズ毎に集計することを特徴とする。
【００１７】
また、本発明は、上記発明において、前記商品位置情報と前記商品種別識別情報とを関連付けて記憶する商品棚位置情報記憶手段と、前記商品位置情報及び前記商品種別識別情報をリアルタイムに取得して前記商品棚位置情報記憶手段に記憶される商品位置情報及び商品種別識別情報と一致するか否かを判定する商品棚位置一致判定手段と、前記商品棚位置一致判定手段により、前記商品棚位置情報記憶手段に記憶される商品位置情報及び商品種別識別情報がリアルタイムに取得された商品位置情報及び商品種別識別情報と一致しないと判定された場合に、該不一致を前記電子棚札に表示させるために通知する商品棚位置不一致通知手段とをさらに備えたことを特徴とする。
【００１８】
また、本発明は、棚に配置される商品に取り付けられた電子タグから読み取った商品識別情報と、該棚における商品配置位置それぞれに取り付けられた電子タグから読み取った商品位置情報とを関連付け、該商品識別情報に基づいた情報を該商品配置位置それぞれにおいて表示する電子棚札システムであって、前記商品位置情報毎及び前記商品識別情報に対応する商品種別識別情報毎に商品在庫数を集計する商品在庫数集計手段と、該商品在庫数が集計された商品に対応する商品詳細情報を取得する商品詳細情報取得手段とを有する電子棚札システムサーバと、前記商品在庫数集計手段により集計された前記商品在庫数と前記商品詳細情報取得手段により取得された前記商品詳細情報とを関連付けて、各商品に対応する商品配置位置において該商品毎に表示する棚札情報表示手段を有する電子棚札とを有することを特徴とする。
【００１９】
また、本発明は、上記発明において、前記商品在庫数集計手段は、前記商品種類情報に含まれる該商品のサイズ情報に基づき前記商品在庫数を該サイズ毎に集計し、前記棚札情報表示手段は、前記商品在庫数集計手段により集計された前記サイズ毎の商品在庫数を表示することを特徴とする。
【００２０】
また、本発明は、棚に配置される商品に取り付けられた電子タグから読み取った商品識別情報に基づき電子棚札システムサーバにおいて取得された情報を該棚において電子棚札に表示する電子棚札表示方法であって、前記電子棚札システムサーバにおいて、前記商品識別情報に関連付けられた商品種別識別情報毎に商品在庫数を集計する商品在庫数集計工程と、該商品在庫数が集計された商品に対応する商品詳細情報を取得する商品詳細情報取得工程とを含み、前記電子棚札において、前記商品在庫数集計工程により集計された前記商品在庫数と前記商品詳細情報取得工程により取得された前記商品詳細情報とを関連付けて前記棚において該商品毎に表示する棚札情報表示工程を含むことを特徴とする。
【００２１】
また、本発明は、上記発明において、前記商品在庫数集計工程は、前記商品種類情報に含まれる該商品のサイズ情報に基づき前記商品在庫数を該サイズ毎に集計し、前記棚札情報表示工程は、前記商品在庫数集計工程により集計された前記サイズ毎の商品在庫数を表示することを特徴とする。
【発明の効果】
【００２２】
本発明によれば、電子棚札によって、該電子棚札が取り付けられている棚位置に配置される商品の在庫数及び商品詳細情報が一目瞭然となり、客の買い物の利便性を向上させ、店舗の従業員が商品の整理や商品補充を行う際にも作業効率の向上を図ることができるという効果を奏する。また、商品位置情報を記憶する電子タグが棚における商品配置位置それぞれに取り付けられているので、システムの構成を変更することなく棚のレイアウト変更に柔軟に対応できるという効果を奏する。
【００２３】
また、本発明によれば、電子棚札において、該電子棚札が取り付けられている棚位置に配置される商品のサイズ毎の在庫数及び商品詳細情報が一目瞭然となり、買い物客や店舗の従業員が、商品を一つ一つ手にとってサイズを確認しなければならないという煩わしさから開放されるという効果を奏する。
【００２４】
また、本発明によれば、電子棚札が棚位置を示す電子タグを内蔵するので、電子棚札の付け替えや移動と共に電子タグも移動し、電子棚札と電子タグら有する棚位置を識別する情報との関連付けが、物理的な近接が維持されることによって明確性を維持されるという効果を奏する。また、商品位置情報を記憶する電子タグが電子棚札それぞれに内臓されているので、システムの構成を変更することなく電子棚札を移動させることのみで棚のレイアウト変更に柔軟に対応できるという効果を奏する。
【００２５】
また、本発明によれば、電子棚札が取り付けられている棚位置に配置される商品の在庫数及び商品詳細情報が一目瞭然となるように電子棚札に表示させることができ、客の買い物の利便性を向上させ、店舗の従業員が商品の整理や商品補充を行う際にも作業効率の向上を図ることができるという効果を奏する。
【００２６】
また、本発明によれば、電子棚札が取り付けられている棚位置に配置される商品のサイズ毎の在庫数及び商品詳細情報が一目瞭然となるように電子棚札に表示させることができ、買い物客や店舗の従業員が、商品を一つ一つ手にとってサイズを確認しなければならないという煩わしさから開放されるという効果を奏する。
【００２７】
また、本発明によれば、商品棚位置一致判定手段により、商品棚位置情報記憶手段に記憶される商品位置情報及び商品種別識別情報がリアルタイムに取得された商品位置情報及び商品種別識別情報と一致しないと判定された場合に、該不一致を前記電子棚札に表示させるために通知する商品棚位置不一致通知手段を備えたので、本来存在すべき棚位置とは異なる棚位置に商品が存在することを迅速に報知することができ、店舗の従業員が商品の整理整頓を行う際の作業効率を高めることができるという効果を奏する。
【発明を実施するための最良の形態】
【００２８】
以下に添付図面を参照して、本発明に係る電子棚札、電子棚札システムサーバ、電子棚札システム及び電子棚札表示方法の好適な実施例を詳細に説明する。なお、以下に示す実施例１及び実施例２では、本発明を、ＲＦＩＤ（Radio Frequency Identification）に基づいて商品の在庫管理を行い、在庫数を電子棚札に表示する電子棚札、電子棚札システムサーバ、電子棚札システム及び電子棚札表示方法に適用した場合を示すこととする。また、以下の実施例１及び２で用いる電子タグは、ISO/IEC15693に定められる、通信距離が70cm程度、通信周波数が13.56ＭＨｚである近傍型あって、リーダライタのアンテナからのエネルギーを電源として送受信を行うパッシブ型のＩＣタグであるとする。
【実施例１】
【００２９】
図１は、第１実施例に係る電子棚札システム及び電子棚札表示方法の概要と特徴を説明する説明図である。同図に示すように、本電子棚札システム及び電子棚札表示方法では、店舗フロアの陳列棚に陳列される２枚の“アンゴラセーター（Ｍサイズ、\35,000）”及び１枚の“アンゴラセーター（Ｌサイズ、\35,000）”、店舗フロア外のバックヤードの在庫棚に保管される２枚の“アンゴラセーター（Ｓサイズ、\35,000）”及び１枚の“アンゴラセーター（Ｍサイズ、\35,000）”の全部を商品種類及びサイズ毎に集計した数を、電子棚札１００に表示する点に特徴がある。
【００３０】
即ち、店舗フロアの陳列棚に陳列される商品及びバックヤードの在庫棚に保管される商品の全てを計数し、電子棚札に商品情報（商品名、価格など）、棚上在庫数と全在庫数とを表示する。ここで、棚上在庫とは、陳列棚に陳列される商品数であり、全在庫数とは、陳列棚に陳列される商品数及びバックヤードの在庫棚に保管される商品数の合計である。
【００３１】
従来、商品のサイズは、商品が陳列棚に配置されているままの状態では、一目では判別がつかなかった。例えば、商品がセーターの場合、色は一目で判別可能であるが、サイズは、その都度商品を手にとって、商品のサイズ表示を確認しなければならないという煩わしさがあった。特に、陳列棚に陳列される商品数が多く、これに対し所望のサイズの商品数が極端に少ない場合には、多くの商品をそれぞれ手にとってサイズを確認しなければならないという可能性が高く、客が快適に買い物を楽しむということを妨げかねなかった。
【００３２】
さらに、店舗従業員も、どの商品のどのサイズにどれだけの在庫があるかを常に把握して、在庫があるにもかかわらず陳列棚に欠品が生じている場合には、迅速に商品の補充を行わなければならない。しかし、従来のように、一目でサイズが分からない場合には、迅速な対応が行えず、円滑な業務遂行の妨げとなりかねなかった。
【００３３】
本発明は、かかる問題点を克服するためになされたものであって、RFID技術を基盤として、電子棚札に、商品毎、サイズ毎の陳列商品数及び全在庫数を表示することによって、客が快適に買い物を楽しむことができ、また、店舗従業員も、商品在庫をリアルタイムに把握し、迅速に商品補充を行うことができるように構成されている。
【００３４】
次に、図１に示した電子棚札１００の表示内容について、具体的に説明する。図２は、図１に示した電子棚札１００の表示内容を説明する図である。同図に示すように、電子棚札１００の表示面には、商品名である“アンゴラセーター”、商品価格である“\35,000”及びサイズ毎の在庫の数である“Ｓ：０（２） Ｍ：２（３） Ｌ：１（１）”が表示されている。サイズ毎の在庫の数は、「サイズＳの陳列棚在庫が０枚及び全在庫が２枚、サイズＭの陳列棚在庫が２枚及び全在庫が３枚、サイズＬの陳列棚在庫が１枚及び全在庫が１枚」を意味する。即ち、括弧外の数が陳列棚在庫数であり、括弧内の数が全在庫である。
【００３５】
このように、電子棚札１００の表示面に、商品情報及びサイズ毎の在庫数を表示することによって、これらの情報が一目で判別可能となり、客は快適に買い物を楽しむことができ、また、店舗従業員も、商品在庫をリアルタイムに把握し、迅速に商品補充を行うことができる。
【００３６】
なお、電子棚札１００の表示面は、電子ペーパーで構成されるとするが、これに限らず、液晶ディスプレイやセグメント表示器など、薄型・軽量の表示装置であれば何れでであってもよい。
【００３７】
次に、第１実施例にかかる電子棚札システムＳの構成について説明する。図３は、第１実施例に係る電子棚札システムＳの構成を示すシステム構成図である。同図に示すように、電子棚札システムＳは、アンテナを含むタグリーダ制御装置３００、該タグリーダ制御装置３００に接続される複数のタグリーダ３５０と、電子棚札制御装置４００と、該電子棚札制御装置４００に接続される複数の電子棚札１００とから構成される１組の電子棚札ユニットＵが、バックヤード及び店舗フロアのそれぞれに所定組数だけ配置され、それぞれのタグリーダ制御装置３００及び電子棚札制御装置４００が、ネットワークＮを介して、バックヤードに設置される電子棚札システムサーバ２００と通信可能に接続される構成をとっている。
【００３８】
それぞれのタグリーダ３５０の近傍には、商品ＩＣタグ３６０が取り付けられた商品が配置され、該商品ＩＣタグ３６０に記憶される商品の一意の識別情報であるＵＩＤ（Ubiquitous ID）を読み取り可能になっている。また、電子棚札１００の内部には、棚位置を一意に識別する情報である棚位置情報を記憶する棚位置ＩＣタグが収められており、この電子棚札１００に最も近いタグリーダ３５０により該棚位置情報が読み取り可能となっている。即ち、複数の各タグリーダ３５０がこれらのＩＣタグから電波を受信する範囲は予め定まっており、それらの範囲は干渉しないこととなっている。即ち、棚の商品配置位置に対して１つの電子棚札１００が対応しており、この商品配置位置と電子棚札１００との組み合わせに対して１つのタグリーダ３５０が対応してＩＣタグ情報を読み取り可能となっているのである。
【００３９】
なお、電子棚札ユニットＵは、店舗フロアに設置されるものもバックヤードに設置されるものも同一の構成を取るとするが、これに限らず、バックヤードに設置される電子棚札ユニットＵは、運用上、電子棚札１００の表示を必要としない場合もあるため、電子棚札制御装置４００及び電子棚札１００を省略してもよい。この場合、棚位置を一意に識別する情報である棚位置情報を記憶する棚位置ＩＣタグのみが、棚のタグリーダ３５０の電波受信範囲内の所定位置に設置されることとなる。
【００４０】
次に、図３に示した電子棚札１００の構成について説明する。図４は、図３に示した電子棚札１００の構成を示す機能ブロック図である。同図に示すように、電子棚札１００は、制御部１０１と、棚位置ＩＣタグ部１０２と、電子棚札制御装置４００から情報を受け取って制御部１０１へ受け渡すためのＩ／Ｆ部１０３と、Ｉ／Ｆ部１０３から受け渡された情報を表示するための表示部１０４とを有する。該表示部１０４は、上記したように、電子ペーパーで構成されるとするが、これに限らず、液晶ディスプレイやセグメント表示器など、薄型・軽量の表示装置であれば何れでであってもよい。制御部１０１は、電子棚札１００全体の制御をつかさどる制御部であり、特に、電子棚札制御装置４００から情報を受け取って表示部１０４に表示させる制御を行う。
【００４１】
棚位置ＩＣタグ部１０２は、ＩＣ部１０２ａと、アンテナ部１０２ｂとをさらに有する。ＩＣ部１０２ａは、小型のＩＣチップであり、該ＩＣチップには、棚位置を一意に識別するための棚位置識別情報である棚位置ＩＣタグ情報が記憶されている。このＩＣ部１０２ａに対してタグリーダ３５０から電力を供給し、ＩＣ部１０２ａからタグリーダ３５０への棚位置ＩＣタグ情報を送信するためのアンテナ部１０２ｂが接続されている。
【００４２】
次に、図３に示した商品ＩＣタグ３６０の構成について説明する。図５は、図３に示した商品ＩＣタグ３６０の構成を示す機能ブロック図である。同図に示すように、商品ＩＣタグ３６０は、ＩＣ部３６０ａと、アンテナ部３６０ｂとを有する。ＩＣ部３６０ａは、小型のＩＣチップであり、該ＩＣチップには、該商品を一意に識別するための商品識別情報である商品ＩＣタグ情報が記憶されている。このＩＣ部３６０ａに対してタグリーダ３５０から電力を供給し、ＩＣ部３６０ａからタグリーダ３５０への商品ＩＣタグ情報を送信するためのアンテナ部３６０ｂが接続されている。
【００４３】
次に、図４に示した棚位置ＩＣタグ情報及び図５に示した商品ＩＣタグ情報のＩＣタグ情報のデータフォーマットについて説明する。図６は、図４に示した棚位置ＩＣタグ情報及び図５に示した商品ＩＣタグ情報のＩＣタグ情報のデータフォーマットを説明する図である。図６（１）に示すように、商品ＩＣタグ情報は、ＵＩＤのみからなる情報である。また、図６（２）に示すように、棚位置ＩＣタグ情報は、ＵＩＤ、棚番号、棚段番号及び棚列番号からなる情報である。
【００４４】
ＵＩＤは、本来は、ＩＣチップ自体を識別するための識別情報である。ＩＣチップが異ならば該ＵＩＤも異なるため、商品を識別するための情報として利用可能である。しかし、ＵＩＤのみで棚位置を識別することは、管理上効率的とはいえない。即ち、多くの棚に対してそれぞれ異なる棚番号、棚段番号及び棚列番号を対応させる処理を行うことには、処理負担の問題がある。そこで、棚位置ＩＣタグ情報に、ＵＩＤの他に、棚番号、棚段番号及び棚列番号を予め含ませておくこととする。このように棚番号、棚段番号及び棚列番号の組み合わせを位置ＩＣタグ情報に予め含ませておくこととすると、効率的に棚位置を特定することが可能となる。
【００４５】
次に、図６に示した棚位置ＩＣタグ情報と棚位置との関係の一例について説明する。図７は、図６に示した棚位置ＩＣタグ情報と棚位置との関係の一例を示す図である。同図に示すように、陳列棚又は在庫棚は、縦に３段、横に４列の、合計３段×４列＝１２箇所の商品配置位置を有するものとする。また、当該陳列棚又は在庫棚は、棚番号が“01”であるとする。このとき、棚段番号及び棚列番号の割り当て方法の一例として、下段から昇順に棚段数を数え、棚に向かって左方から右方へ棚列数を数えるものとする。この方法に従うと、図示の如く、最下段最左方の商品配置位置は、棚段位置＝“01”、棚列位置＝“01”であり、最上段最右方の商品配置位置は、棚段位置＝“03”、棚列位置＝“04”である。
【００４６】
次に、図３に示した電子棚札システムサーバ２００の構成について説明する。図８は、図３に示した電子棚札システムサーバ２００の構成を示す機能ブロック図である。同図によると、電子棚札システムサーバ２００は、制御部２０１と、記憶部２０２と、商品ＩＣタグ３６０及び棚位置ＩＣタグ部１０２からタグリーダ３５０が読み取ってタグリーダ制御装置３００を介して受け渡されたＩＣタグ情報を受信してＪＡＮコード変換部２０１ａへ受け渡すタグ情報受信部２０３と、表示情報編集部２０１ｈから受け取った電子棚札１００に表示するための電子棚札情報を電子棚札制御装置４００へ送信する電子棚札情報送信部２０４と、商品入荷時の在庫登録のために入荷商品情報を入力するためのタグリーダなどである情報入力部２０５とを有する。
【００４７】
制御部２０１は、電子棚札システムサーバ２００全体の制御をつかさどる制御部である。制御部２０１は、ＪＡＮコード変換部２０１ａと、棚位置−ＪＡＮコード紐付け部２０１ｂと、棚位置−ＪＡＮマスタ更新部２０１ｃと、棚上在庫取得部２０１ｅと、在庫数集計部２０１ｆと、商品情報取得部２０１ｇと、表示情報編集部２０１ｈと、全在庫登録部２０１ｉと、全在庫取得部２０１ｊとを有する。
【００４８】
ＪＡＮコード変換部２０１ａは、ＲＦ−ＪＡＮマスタ２０２ｂ1を参照して、受信した商品ＩＣタグ情報をＪＡＮコードへ変換する処理を行う。棚位置−ＪＡＮコード紐付け部２０１ｂは、商品ＩＣタグ情報とともに受信した棚位置情報と、ＪＡＮコード変換部２０１ａにより変換されたＪＡＮコードとを紐付ける処理を行う。「紐付ける」とは、「関連付ける」ことである。この処理により、“どのＪＡＮコードを持つ商品がどの棚位置に配置されているか”の情報が作成されることとなる。棚位置−ＪＡＮマスタ更新部２０１ｃは、棚位置−ＪＡＮコード紐付け部２０１ｂにより作成された情報を、棚位置−ＪＡＮマスタに反映させる処理を行うこととなる。
【００４９】
棚上在庫登録部２０１ｄは、受信した全ての商品ＩＣタグ情報を棚上在庫マスタ２０２ｂ4に反映させる処理を行う。該反映時には、棚上在庫マスタ２０２ｂ4の古いレコードを一括削除して、新たに受信した全ての商品ＩＣタグ情報を登録する。
【００５０】
棚上在庫取得部２０１ｅは、棚上在庫マスタ２０２ｂ4に登録されている全ての棚上在庫を取得する処理を行う。在庫数集計部２０１ｆは、棚上在庫取得部２０１ｅにより取得された棚上在庫情報に対応付けられているＪＡＮコードをＲＦ−ＪＡＮマスタ２０２ｂ1を参照して取得する。続いて、該取得されたＪＡＮコードを基に棚位置−ＪＡＮマスタ２０２ｂ2を参照して、棚位置及びＪＡＮコードが一致するレコードをカウントする。このカウントされた数が、棚位置及び商品種類毎（ＪＡＮコード毎）に集計された棚上在庫情報である。棚上在庫とは、陳列棚又は在庫棚に実際に存在する在庫である。
【００５１】
商品情報取得部２０１ｇは、在庫数集計部２０１ｆにより集計された棚位置及び商品種類毎（ＪＡＮコード毎）の棚上在庫情報又は全在庫情報に対して、ＪＡＮコードに対応する商品情報を商品マスタ２０２ｂ4から取得する。この処理により、どの棚位置のどの商品がどのような商品情報を持つかの情報が取得されることとなる。
【００５２】
表示情報編集部２０１ｈは、商品情報取得部２０１ｇにより取得された“どの棚位置のどの商品がどのような商品情報を持つか”の情報を、電子棚札１００への送信及び電子棚札１００での表示に適した形式に変換する。そして、電子棚札情報送信部２０４を介して電子棚札制御装置４００へ送信される。
【００５３】
全在庫登録部２０１ｉは、情報入力部２０５から入力された商品ＩＣタグ情報を全在庫マスタに登録する処理を行う。該登録時には、棚上在庫マスタ２０２ｂ4に新たにレコードを追加することによって商品ＩＣタグ情報を登録するものである。
【００５４】
全在庫取得部２０１ｊは、全在庫マスタ２０２ｂ5に登録されている全在庫を取得する処理を行う。そして、在庫数集計部２０１ｆは、全在庫取得部２０１ｊにより取得された全在庫情報に対応付けられているＪＡＮコードをＲＦ−ＪＡＮマスタ２０２ｂ1を参照して取得する。続いて、該取得されたＪＡＮコードを基に棚位置−ＪＡＮマスタ２０２ｂ2を参照して、棚位置及びＪＡＮコードが一致するレコードをカウントする。このカウントされた数が、棚位置及び商品種類毎（ＪＡＮコード毎）に集計された全在庫情報である。全棚上在庫とは、商品管理上、陳列棚又は在庫棚に存在するとされる在庫であり、店舗内における全ての在庫である。
【００５５】
記憶部２０２は、制御部２０１での処理実行時に使用されるＲＡＭなどの一時記憶領域である一時記憶部２０２ａと、各種マスタテーブルを格納するＤＢ部２０２ｂとを有する。ＤＢ部２０２０ｂは、ＲＦ−ＪＡＮマスタ２０２ｂ1と、棚位置―ＪＡＮマスタ２０２ｂ2と、商品マスタ２０２ｂ3と、棚上在庫マスタ２０２ｂ4と、全在庫マスタ２０２ｂ5とを有する。
【００５６】
次に、図８に示したＲＦ−ＪＡＮマスタ２０２ｂ1について説明する。図９は、図８に示したＲＦ−ＪＡＮマスタ２０２ｂ1のテーブルイメージを示す図である。同図に示すように、ＲＦ−ＪＡＮマスタ２０２ｂ1は、「商品ＵＩＤ」及び「ＪＡＮコード」のカラムを持つ。このテーブルでは、商品ＵＩＤに対してＪＡＮコードが対応付けられている。この対応付けは、商品の入荷時に、商品に付与されているタグリーダを介して商品ＵＩＤを読み取り、バーコードリーダを介してＪＡＮコードを読み取り、両者を紐付ける処理を行うことにより行われる。例えば、図９によれば、「商品ＵＩＤ」が“xxxxxxx1”には「ＪＡＮコード」“49111111111”が対応付けられている。
【００５７】
次に、図８に示した棚位置−ＪＡＮマスタ２０２ｂ2について説明する。図１０は、図８に示した棚位置−ＪＡＮマスタ２０２ｂ2のテーブルイメージを示す図である。同図に示すように、棚位置−ＪＡＮマスタ２０２ｂ2は、「棚番号」、「棚段番号」、「棚列番号」及び「ＪＡＮコード」のカラムを持つ。このテーブルでは、「棚番号」、「棚段番号」及び「棚列番号」の組み合わせで特定される棚位置に対してＪＡＮコードが対応付けられている。この対応付けは、棚位置−ＪＡＮコード紐付け部２０１ｂにより、例えば、２４時間毎のバッチ処理で行われる。例えば、図１０によれば、「棚番号」が“1”、「棚段番号」が“1”、「棚列番号」が“1”の組み合わせで特定される棚位置には「ＪＡＮコード」が“49111111111”の商品が配置されていることが分かる。
【００５８】
次に、図８に示した商品マスタ２０２ｂ3について説明する。図１１は、図８に示した商品マスタ２０２ｂ3のテーブルイメージを示す図である。同図に示すように、商品マスタ２０２ｂ3は、「ＪＡＮコード」、「型番」、「色」、「サイズ」、「商品名」及び「価格」のカラムを持つ。このテーブルでは、「ＪＡＮコード」に商品属性を示す商品詳細情報が対応付けられていることになる。当該商品を店舗で取り扱い・販売を開始するとされたときに、予め情報を入力することによって対応付けを行い、商品マスタを準備する必要がある。例えば、図１１によれば、「ＪＡＮコード」が“49111111111”の商品は、「型番」が“505”、「色」が“赤”、「サイズ」が“Ｓ”、「商品名」が“アンゴラセーター”、「価格」が“35、000”の商品であることが分かる。
【００５９】
次に、図８に示した棚上在庫マスタ２０２ｂ4及び店舗内全在庫商品マスタ２０２ｂ5について説明する。図１２（１）は、図８に示した棚上在庫マスタ２０２ｂ4のテーブルイメージを示す図である。同図に示すように、棚上在庫マスタ２０２ｂ4は、「商品ＵＩＤ」のみのカラムを持つ。このテーブルは、リアルタイム（例えば、２分毎）に更新される。よって、棚上に存在する在庫をリアルタイムに把握可能となる。図１２（２）は、図８に示した全在庫マスタ２０２ｂ5のテーブルイメージを示す図である。同図に示すように、全在庫マスタ２０２ｂ5は、「商品ＵＩＤ」のみのカラムを持つ。このテーブルは、商品の入荷時に新規レコードが追加され、商品が売れたときに当該商品のレコードが削除される。よって、店舗内に存在するとされる全ての在庫を把握可能となる。
【００６０】
次に、図８に示した電子棚札システムサーバ２００における処理手順について説明する。図１３は、図８に示した電子棚札システムサーバ２００における処理手順を示すフローチャートである。先ず、処理を終了するか否かを判定し（ステップＳ１０１）、終了する場合に（ステップＳ１０１肯定）、本処理を終了し、終了しない場合に（ステップＳ１０１否定）、ステップＳ１０２へ処理を移す。ステップＳ１０２では、タイマを起動して２４時間の計時を開始する。続いて、棚位置ＩＣタグ情報をタグリーダ３５０を介して読み込み（ステップＳ１０３）、商品ＩＣタグ情報をタグリーダ３５０を介して読み込む（ステップＳ１０４）。
【００６１】
次に、ＲＦ−ＪＡＮマスタ２０２ｂ1を参照して、読み込んだ商品ＩＣタグ情報をＪＡＮコードへ変換する（ステップＳ１０５）。続いて、読み込んだ棚位置ＩＣタグ情報とＪＡＮコードとを紐付け（ステップＳ１０６）、該紐付けられた情報で棚位置−ＪＡＮマスタを更新する（ステップＳ１０７）。
【００６２】
次に、処理を終了するか否かを判定し（ステップＳ１０８）、終了する場合に（ステップＳ１０８肯定）、本処理を終了し、終了しない場合に（ステップＳ１０８否定）、ステップＳ１０９へ処理を移す。
【００６３】
ステップＳ１０２では、タイマを起動して２分間の計時を開始する。続いて、棚上在庫を取得し（ステップＳ１１０）、棚位置−ＪＡＮマスタ２０２ｂ2を参照して、該取得された棚上在庫のＵＩＤに対応する棚位置及びＪＡＮコードを取得し、同一ＪＡＮコードの商品ＵＩＤを集計する（ステップＳ１１１）。この処理により、棚上在庫数が、棚位置及びＪＡＮコードと関連付けられた形で算出される。
【００６４】
次に、商品マスタ２０２ｂ3を参照して、ＪＡＮコードに対応する商品情報を取得し（ステップＳ１１２）、該取得された商品情報及び在庫情報を電子棚札１００への送信及び電子棚札１００での表示に適した形式に編集する（ステップＳ１１３）。そして、該編集された商品情報及び在庫情報を電子棚札１００へ送信する（ステップＳ１１４）。
【００６５】
次に、２４時間の計時のタイマが２４時間を計時するに至ったか否かを判定し（ステップＳ１１５）、２４時間経過したと判定される場合に（ステップＳ１１５肯定）、ステップＳ１０１へ処理を移し、２４時間経過したと判定されない場合に（ステップＳ１１５否定）、ステップＳ１１６へ処理を移す。ステップＳ１１６では、２分間の計時のタイマが２分間を計時するに至ったか否かを判定し（ステップＳ１１６）、２分間経過したと判定される場合に（ステップＳ１１６肯定）、ステップＳ１０８へ処理を移し、２分間経過したと判定されない場合に（ステップＳ１１６否定）、ステップＳ１１６を繰り返す。
【００６６】
なお、ステップＳ１０１〜１１５のループ処理は、２４時間毎に実行されるバッチ処理であり、ステップＳ１０８〜１１６のループ処理は、２分毎に実行されるリアルタイム処理である。これらの時間設定は、適宜変更可能であるが、例えば前述のように設定することによって、電子棚札システムサーバ２００への処理負荷と取得情報が要求される周期とのバランスを取って、より効率的な運用を実現することができる。
【００６７】
また、上記実施例１では、サイズ毎、商品種別識別情報（ＪＡＮコード）毎及び棚位置毎の全在庫を、商品入荷時に登録を行う全在庫マスタテーブル２０２ｂ５の情報を基に計数するとしたが、これに限られるものではない。即ち、商品棚及び在庫棚に存在する同一の商品種別識別情報を持つ商品を、棚位置に関わらずサイズ毎、商品種別識別情報毎に集計することにより全在庫を計数するとしてもよい。
【実施例２】
【００６８】
以下に、本発明の第２実施例を示す。第２実施例は、第１実施例の構成及び処理に加え、本来置かれる位置でない棚位置に商品が置かれた場合に、この棚位置不正を報知する構成及び処理を備えた電子棚札、電子棚札システムサーバ、電子棚札システム及び電子棚札表示方法である。即ち、第２実施例は、第１実施例に付加的に実施されるものある。
【００６９】
先ず、第２実施例の電子棚札システムサーバ２００の棚位置不正検出の構成であって、第１実施例に比べて特徴的な構成を説明する。図１４は、第２実施例の電子棚札システムサーバ２００の棚位置不正検出の構成を示す機能ブロック図である。同図に示すように、電子棚札システムサーバ２００は、制御部２０１と、記憶部２０２と、商品ＩＣタグ３６０及び棚位置ＩＣタグ部１０２からタグリーダ３５０が読み取ってタグリーダ制御装置３００を介して受け渡されたＩＣタグ情報を受信してＪＡＮコード変換部２０１ａへ受け渡すタグ情報受信部２０３と、表示情報編集部２０１ｈから受け取った電子棚札１００に表示するための電子棚札情報を電子棚札制御装置４００へ送信する電子棚札情報送信部２０４と、棚位置不正情報表示部２０６とを有する。
【００７０】
制御部２０１は、電子棚札システムサーバ２００全体の制御をつかさどる制御部である。制御部２０１は、ＪＡＮコード変換部２０１ａと、棚位置−ＪＡＮコード紐付け部２０１ｂと、棚位置不正検出部２０１ｋと、商品情報取得部２０１ｇと、表示情報編集部２０１ｈとを有する。なお、ＪＡＮコード変換部２０１ａ、棚位置−ＪＡＮコード紐付け部２０１ｂの機能は、実施例１と同様である。
【００７１】
棚位置不正部２０１ｋは、棚位置−ＪＡＮコード紐付け部２０１ｂにより作成された“どのＪＡＮコードを持つ商品がどの棚位置に配置されているか”の情報と、棚位置−ＪＡＮマスタ２０２ｂ2に登録されている情報との比較処理を行う。棚位置−ＪＡＮマスタ２０２ｂ2に登録されている“どのＪＡＮコードを持つ商品がどの棚位置に配置されているか”の情報は、例えば、２４時間に１回（店舗開店前若しくは店舗閉店後の商品整頓作業時など）に取得される情報であって、当該商品が本来的に正しく配置されている棚位置の情報と見なしうるものである。よって、棚位置−ＪＡＮマスタ２０２ｂ2に登録されている情報との一致を短い周期で定期的に検証することにより、リアルタイムで棚位置の不正を検出可能となる。
【００７２】
商品情報取得部２０１ｇは、棚位置不正部２０１ｋにより検出された棚位置が不正な商品のＪＡＮコードに対応する商品情報を商品マスタ２０２ｂ4から取得する。この処理により、“棚位置不正の商品がどのような商品情報を持つか”の情報が取得されることとなる。
【００７３】
表示情報編集部２０１ｈは、商品情報取得部２０１ｇにより取得された“どの棚位置のどの商品がどのような商品情報を持つか”の情報を、電子棚札１００への送信及び電子棚札１００での表示に適した形式に変換する。そして、電子棚札情報送信部２０４を介して電子棚札制御装置４００へ送信される。
【００７４】
記憶部２０２は、制御部２０１での処理実行時に使用されるＲＡＭなどの一時記憶領域である一時記憶部２０２ａと、各種マスタテーブルを格納するＤＢ部２０２ｂとを有する。ＤＢ部２０２０ｂは、ＲＦ−ＪＡＮマスタ２０２ｂ1と、棚位置―ＪＡＮマスタ２０２ｂ2と、商品マスタ２０２ｂ3とを有する。ＲＦ−ＪＡＮマスタ２０２ｂ1、棚位置―ＪＡＮマスタ２０２ｂ2及び商品マスタ２０２ｂ3は、実施例１と同様のものである。
【００７５】
棚位置不正情報表示部２０６は、ＣＲＴや液晶ディスプレイ装置などであり、商品情報取得部２０１ｇにより取得された“棚位置不正の商品がどのような商品情報を持つか”の情報が表示される。
【００７６】
次に、図１４に示した電子棚札システムサーバ２００における棚位置不正検出の処理手順について説明する。図１５は、図１４に示した電子棚札システムサーバ２００における棚位置不正検出の処理手順を示すフローチャートである。先ず、処理を終了するか否かを判定し（ステップＳ１２１）、終了するならば（ステップＳ１２１肯定）、本処理を終了し、終了しないならば（ステップＳ１２１否定）、ステップＳ１２２へ処理を移す。
【００７７】
ステップＳ１２２では、タイマを起動して１０分の計時処理を開始する。続いて、棚位置ＩＣタグ情報をタグリーダ３５０を介して読み込み（ステップＳ１２３）、商品ＩＣタグ情報をタグリーダ３５０を介して読み込む（ステップＳ１２４）。
【００７８】
次に、ＲＦ−ＪＡＮマスタ２０２ｂ1を参照して、読み込んだ商品ＩＣタグ情報をＪＡＮコードへ変換する（ステップＳ１２５）。続いて、読み込んだ棚位置ＩＣタグ情報とＪＡＮコードとを紐付ける（ステップＳ１２６）。続いて、ステップＳ１２６で取得された“どのＪＡＮコードを持つ商品がどの棚位置に配置されているか”の情報と、棚位置−ＪＡＮマスタ２０２ｂ2に登録されている情報との比較処理を行う（ステップＳ１２７）。この比較結果に基づき、棚位置不正を検出する。
【００７９】
次に、商品マスタ２０２ｂ3を参照して、棚位置不正のＪＡＮコードに対応する商品情報を取得し（ステップＳ１２８）、該取得された商品情報に基づく棚位置不正情報を電子棚札１００への送信及び電子棚札１００での表示に適した形式に編集する（ステップＳ１２９）。そして、該編集された棚位置不正情報を電子棚札１００へ送信する（ステップＳ１３０）。続いて、棚位置不正情報の一覧を、棚位置不正情報表示部２０６に表示する（ステップＳ１３１）。
【００８０】
次に、１０分間の計時のタイマが１０分間を計時するに至ったか否かを判定し（ステップＳ１３２）、１０分間経過したと判定される場合に（ステップＳ１３２肯定）、ステップＳ１２１へ処理を移し、１０分間経過したと判定されない場合に（ステップＳ１３２否定）、ステップＳ１３２を繰り返す。上記ステップＳ１２１〜１３２の処理を繰り返すことによって、１０分毎のリアルタイムで、商品の棚位置不正を検出することができる。
【００８１】
次に、図１５に示した電子棚札１００への棚位置不正情報送信処理（ステップＳ１３０）の結果、電子棚札１００において表示される棚位置不正の表示内容について説明する。図１６は、図１５に示したステップＳ１３０処理の結果、電子棚札１００において表示される棚位置不正の表示内容の一例を説明する図である。同図に示すように、当該棚位置において、本来存在すべきではない商品が不正に混在して配置されていることが検出された場合に、通常の商品名、商品価格及びサイズ毎の在庫の数の表示に加え、その下方に「★棚位置が正しくない商品が混在しています」という表示を行う。これにより、当該棚位置において、本来配置されるべきではない商品が配置されていることを容易に知ることができるので、店員による商品の整理整頓の作業効率を高めることができる。
【００８２】
次に、図１５に示した棚位置不正情報表示処理（ステップＳ１３１）の結果、電子棚札システムサーバ２００の棚位置不正情報表示部２０６において表示される棚位置不正情報の一覧表示内容について説明する。図１７は、図１５に示したステップＳ１３１処理の結果、電子棚札システムサーバ２００の棚位置不正情報表示部２０６において表示される棚位置不正情報の一覧表示内容の一例を説明する図である。同図に示すように、いずれかの棚位置において、本来存在すべきではない商品が不正に混在して配置されていることが検出された場合に、棚位置不正が発見された「棚番号」、「棚段番号」、「棚列番号」、「商品名」、「色」、「サイズ」及び「正しい棚位置（棚番号、棚段番号及び棚列番号）」を一覧表示する。これにより、いずれかの棚位置において、本来配置されるべきではない商品が配置されていることを一覧表示で容易に知ることができるので、店員による商品の整理整頓の作業効率を高めることができる。
【００８３】
以上、本発明の実施例１及び２を説明したが、本発明は、これに限られるものではなく、特許請求の範囲に記載した技術的思想の範囲内で、更に種々の異なる実施例で実施されてもよいものである。また、実施例１及び２に記載した効果は、これに限定されるものではない。
【００８４】
（付記１）棚に配置される商品に取り付けられた電子タグから読み取った商品識別情報に、前記棚における商品配置位置それぞれに取り付けられた電子タグから読み取った商品位置情報を関連付ける電子棚札システムサーバによって該商品識別情報に基づき取得される情報を該商品配置位置それぞれにおいて表示する電子棚札であって、
前記電子棚札システムサーバにおいて集計された商品在庫数及び前記商品識別情報に対応する商品詳細情報を前記棚の前記商品配置位置において該商品毎に表示することを特徴とする電子棚札。
【００８５】
（付記２）前記商品詳細情報に含まれる商品のサイズ情報に基づき該サイズ毎に集計された前記商品在庫数を表示することを特徴とする付記１に記載の電子棚札。
【００８６】
（付記３）前記棚における前記商品配置位置それぞれに取り付けられた電子タグを有することを特徴とする付記１に記載の電子棚札。
【００８７】
（付記４）棚に配置される商品に取り付けられた電子タグから読み取った商品識別情報と、該棚における商品配置位置それぞれに取り付けられた電子タグから読み取った商品位置情報とを関連付け、該商品識別情報に基づいた情報を該商品配置位置それぞれにおいて表示する電子棚札システムにおける電子棚札システムサーバであって、
前記商品位置情報毎及び前記商品識別情報に対応する商品種別識別情報毎に商品在庫数を集計する商品在庫数集計手段と、該商品在庫数が集計された各商品に対応する商品詳細情報を取得する商品詳細情報取得手段とを有することを特徴とする電子棚札システムサーバ。
【００８８】
（付記５）前記商品在庫数集計手段は、前記商品詳細情報に含まれる商品のサイズ情報に基づき、前記商品在庫数を該サイズ毎に集計することを特徴とする付記４に記載の電子棚札システムサーバ。
【００８９】
（付記６）前記商品識別情報を前記商品種別識別情報に変換する情報変換手段をさらに備え、
前記商品在庫数集計手段は、前記情報変換手段により変換された前記商品種別識別情報に基づいて前記商品在庫数を集計することを特徴とする付記４に記載の電子棚札システムサーバ。
【００９０】
（付記７）前記棚に配置される商品の商品識別情報を記憶する棚上商品在庫記憶手段をさらに備え、
前記商品在庫数集計手段は、前記棚上商品在庫記憶手段に記憶される前記商品識別情報に関連付けられた商品種別識別情報毎に前記商品在庫数を集計することを特徴とする付記４に記載の電子棚札システムサーバ。
【００９１】
（付記８）前記商品位置情報と前記商品種別識別情報とを関連付けて記憶する商品棚位置情報記憶手段と、
前記商品位置情報及び前記商品種別識別情報をリアルタイムに取得して前記商品棚位置情報記憶手段に記憶される商品位置情報及び商品種別識別情報と一致するか否かを判定する商品棚位置一致判定手段と、
前記商品棚位置一致判定手段により、前記商品棚位置情報記憶手段に記憶される商品位置情報及び商品種別識別情報がリアルタイムに取得された商品位置情報及び商品種別識別情報と一致しないと判定された場合に、該不一致を前記電子棚札に表示させるために通知する商品棚位置不一致通知手段と
をさらに備えたことを特徴とする付記４に記載の電子棚札システムサーバ。
【００９２】
（付記９）棚に配置される商品に取り付けられた電子タグから読み取った商品識別情報と、該棚における商品配置位置それぞれに取り付けられた電子タグから読み取った商品位置情報とを関連付け、該商品識別情報に基づいた情報を該商品配置位置それぞれにおいて表示する電子棚札システムであって、
前記商品位置情報毎及び前記商品識別情報に対応する商品種別識別情報毎に商品在庫数を集計する商品在庫数集計手段と、該商品在庫数が集計された商品に対応する商品詳細情報を取得する商品詳細情報取得手段とを有する電子棚札システムサーバと、
前記商品在庫数集計手段により集計された前記商品在庫数と前記商品詳細情報取得手段により取得された前記商品詳細情報とを関連付けて、各商品に対応する商品配置位置において該商品毎に表示する棚札情報表示手段を有する電子棚札とを有することを特徴とする電子棚札システム。
【００９３】
（付記１０）前記商品在庫数集計手段は、前記商品種類情報に含まれる該商品のサイズ情報に基づき前記商品在庫数を該サイズ毎に集計し、
前記棚札情報表示手段は、前記商品在庫数集計手段により集計された前記サイズ毎の商品在庫数を表示することを特徴とする付記９に記載の電子棚札システム。
【００９４】
（付記１１）前記電子棚札システムサーバは、前記商品識別情報を前記商品種別識別情報に変換する情報変換手段をさらに備え、
前記商品在庫数集計手段は、前記情報変換手段により変換された前記商品種別識別情報に基づいて前記商品在庫数を集計することを特徴とする付記９に記載の電子棚札システム。
【００９５】
（付記１２）前記電子棚札システムサーバは、前記棚に配置される商品の商品識別情報を記憶する棚上商品在庫記憶手段をさらに備え、
前記商品在庫数集計手段は、前記棚上商品在庫記憶手段に記憶される前記商品識別情報に関連付けられた商品種別識別情報毎に前記商品在庫数を集計することを特徴とする付記９に記載の電子棚札システム。
【００９６】
（付記１３）前記棚は、店舗フロアに設置される商品陳列棚及び店舗バックヤードに設置される在庫商品を収納する商品在庫棚を含むことを特徴とする付記９に記載の電子棚札システム。
【００９７】
（付記１４）在庫として店舗内に存在する全ての商品の商品識別情報を記憶する全在庫情報記憶手段と、
前記全在庫情報記憶手段に記憶される前記商品識別情報に対応する商品種別識別情報毎に商品全在庫数を集計する商品全在庫数集計手段とをさらに備え、
前記商品在庫数集計手段は、前記商品陳列棚及び前記商品在庫棚それぞれに前記商品在庫数を集計し、
前記棚札情報表示手段は、同一の前記商品種別識別情報を持つ商品について、前記商品在庫数集計手段により前記商品陳列棚及び前記商品在庫棚それぞれに集計された前記商品在庫数と、前記商品全在庫数集計手段により集計された前記商品全在庫数とを表示することを特徴とする付記９に記載の電子棚札システム。
【００９８】
（付記１５）前記商品在庫数集計手段は、前記商品陳列棚及び前記商品在庫棚それぞれに前記商品在庫数を集計し、
前記棚札情報表示手段は、同一の前記商品種別識別情報を持つ商品について、前記商品在庫数集計手段により前記商品陳列棚及び前記商品在庫棚それぞれに集計された前記商品在庫数と、前記商品陳列棚及び前記商品在庫棚の前記商品在庫数の合計とを表示することを特徴とする付記９に記載の電子棚札システム。
【００９９】
（付記１６）前記電子棚札システムサーバは、
前記商品位置情報と前記商品種別識別情報とを紐付けて記憶する商品棚位置情報記憶手段と、
前記商品位置情報及び前記商品種別識別情報をリアルタイムに取得して前記商品棚位置情報記憶手段に記憶される商品位置情報及び商品種別識別情報と一致するか否かを判定する商品棚位置一致判定手段と、
前記商品棚位置一致判定手段により前記商品棚位置情報記憶手段に記憶される商品位置情報及び商品種類情報がリアルタイムに取得された商品位置情報及び商品種類情報と一致しないと判定された場合に、該不一致を前記電子棚札に表示させるために通知する商品位置不一致通知手段と
をさらに備えたことを特徴とする付記９に記載の電子棚札システム。
【０１００】
（付記１７）前記電子棚札システムサーバは、
前記商品棚位置一致判定手段により前記商品棚位置情報記憶手段に記憶される商品位置情報及び商品種類情報がリアルタイムに取得された商品位置情報及び商品種類情報と一致しないと判定された場合に、該不一致を一覧表示する一覧表示手段をさらに備えたことを特徴とする付記９に記載の電子棚札システム。
【０１０１】
（付記１８）棚に配置される商品に取り付けられた電子タグから読み取った商品識別情報に基づき電子棚札システムサーバにおいて取得された情報を該棚において電子棚札に表示する電子棚札表示方法であって、
前記電子棚札システムサーバにおいて、前記商品識別情報に関連付けられた商品種別識別情報毎に商品在庫数を集計する商品在庫数集計工程と、該商品在庫数が集計された商品に対応する商品詳細情報を取得する商品詳細情報取得工程とを含み、
前記電子棚札において、前記商品在庫数集計工程により集計された前記商品在庫数と前記商品詳細情報取得工程により取得された前記商品詳細情報とを関連付けて前記棚において該商品毎に表示する棚札情報表示工程を含むことを特徴とする電子棚札表示方法。
【０１０２】
（付記１９）前記商品在庫数集計工程は、前記商品種類情報に含まれる該商品のサイズ情報に基づき前記商品在庫数を該サイズ毎に集計し、
前記棚札情報表示工程は、前記商品在庫数集計工程により集計された前記サイズ毎の商品在庫数を表示することを特徴とする付記１８に記載の電子棚札表示方法。
【産業上の利用可能性】
【０１０３】
本発明は、多品種少量で短期サイクルでの商品展開を行っている店舗において、陳列棚に陳列される商品の在庫情報を効率よく表示し、以って店舗従業員や顧客が容易に商品在庫を把握することを可能としたい場合に有用であり、特に、商品のサイズごとの在庫表示を一目でわかるようにしたい場合に効果的である。
【図面の簡単な説明】
【０１０４】
【図１】本発明の概要と特徴を説明する説明図である。
【図２】電子棚札１００の表示内容を説明する図である。
【図３】電子棚札システムＳの構成を示すシステム構成図である。
【図４】電子棚札１００の構成を示す機能ブロック図である。
【図５】商品ＩＣタグ３６０の構成を示す機能ブロック図である。
【図６】ＩＣタグ情報のデータフォーマットを説明する図である。
【図７】棚位置ＩＣタグ情報と棚位置との関係の一例を示す図である。
【図８】電子棚札システムサーバ２００の構成を示す機能ブロック図である。
【図９】ＲＦ−ＪＡＮマスタのテーブルイメージを示す図である。
【図１０】棚位置−ＪＡＮマスタのテーブルイメージを示す図である。
【図１１】商品マスタのテーブルイメージを示す図である。
【図１２】在庫マスタのテーブルイメージを示す図である。
【図１３】電子棚札システムサーバ２００における処理手順を示すフローチャートである。
【図１４】電子棚札システムサーバ２００の棚位置不正検出の構成を示す機能ブロック図である。
【図１５】電子棚札システムサーバ２００における棚位置不正検出の処理手順を示すフローチャートである。
【図１６】電子棚札１００における棚位置不正の表示内容を説明する図である。
【図１７】電子棚札システムサーバ２００における棚位置不正の表示内容を説明する図である。
【符号の説明】
【０１０５】
Ｓ    電子棚札システム
１００    電子棚札
１０１    制御部
１０２    棚位置ＩＣタグ部
１０２ａ    ＩＣ部
１０２ｂ    アンテナ部
１０３    Ｉ／Ｆ部
１０４    表示部
２００    電子棚札システムサーバ
２０１    制御部
２０１ａ    ＪＡＮコード変換部
２０１ｂ    棚位置−ＪＡＮコード紐付け部
２０１ｃ    棚位置−ＪＡＮマスタ更新部
２０１ｄ    棚上在庫登録部
２０１ｅ    棚上在庫取得部
２０１ｆ    在庫数集計部
２０１ｇ    商品情報取得部
２０１ｈ    表示情報編集部
２０１ｉ    全在庫登録部
２０１ｊ    全在庫取得部
２０１ｋ    棚位置不正検出部
２０２    記憶部
２０２ａ    一時記憶部
２０２ｂ    ＤＢ部
２０２ｂ1    ＲＦ−ＪＡＮマスタ
２０２ｂ2    棚位置−ＪＡＮマスタ
２０２ｂ3    商品マスタ
２０２ｂ4    棚上在庫マスタ
２０２ｂ5    全在庫マスタ
２０３    タグ情報受信部
２０４    電子棚札情報送信部
２０５    情報入力部
２０６    棚位置不正情報表示部
３００    タグリーダ制御装置
３５０    タグリーダ
３６０    商品ＩＣタグ
３６０ａ    ＩＣ部
３６０ｂ    アンテナ部
４００    電子棚札制御装置
【図１】
2007206745.tif 000003
【図２】
2007206745.tif 000004
【図３】
2007206745.tif 000005
【図４】
2007206745.tif 000006
【図５】
2007206745.tif 000007
【図６】
2007206745.tif 000008
【図７】
2007206745.tif 000009
【図８】
2007206745.tif 000010
【図９】
2007206745.tif 000011
【図１０】
2007206745.tif 000012
【図１１】
2007206745.tif 000013
【図１２】
2007206745.tif 000014
【図１３】
2007206745.tif 000015
【図１４】
2007206745.tif 000016
【図１５】
2007206745.tif 000017
【図１６】
2007206745.tif 000018
【図１７】
2007206745.tif 000019